(57)【要約】【課題】火災時に扉が風に煽られた場合や扉の室内側と室外側に大きな圧力差が生じた場合でも、扉の閉止状態を確実に維持する。【解決手段】本発明のラッチ錠１は、扉２の壁面３、２３に固定される上下一対の台座４、２４と、上下一対の台座４、２４に回転可能に支持されるハンドル５、２５と、ハンドル５、２５の回転に伴って回転するラッチバー６、２６と、ラッチバー６、２６の非回転時に扉２の木口からの退避が規制され、ラッチバー６、２６の回転時に扉２の木口から退避可能となるラッチボルト４６と、を備え、ラッチバー６、２６及びラッチボルト４６は、上下一対の台座４、２４に対応して上下一対に設けられていることを特徴とする。【選択図】図１
2013204320.tif 000002
【特許請求の範囲】
【請求項１】
扉の壁面に固定される上下一対の台座と、
該上下一対の台座に回転可能に支持されるハンドルと、
該ハンドルの回転に伴って回転するラッチバーと、
該ラッチバーの非回転時に前記扉の木口からの退避が規制され、前記ラッチバーの回転時に前記扉の前記木口から退避可能となるラッチボルトと、を備え、
前記ラッチバー及び前記ラッチボルトは、前記上下一対の台座に対応して上下一対に設けられていることを特徴とするラッチ錠。
【請求項２】
前記ハンドルは、前記上下一対の台座に水平方向回転可能に支持され、
前記各ラッチバーは、前記ハンドルの上部と下部に固定され、該ハンドルと共に水平方向に回転することを特徴とする請求項１に記載のラッチ錠。
【請求項３】
前記ハンドルは、前記上下一対の台座に水平方向回転可能に支持され、
前記各ラッチバーは、前記各台座に上下方向回転可能に支持される回転部材に固定され、
前記ハンドルが水平方向に回転すると、該ハンドルが前記各回転部材を押圧し、該各回転部材と共に前記各ラッチバーが上下方向に回転することを特徴とする請求項１に記載のラッチ錠。
【発明の詳細な説明】
【技術分野】
【０００１】
本発明は、ラッチボルトを扉の木口から突出させて扉の閉止状態を保持するラッチ錠に関する。
【背景技術】
【０００２】
従来、扉の閉止状態（仮締まり状態）を保持するための錠構造として、所謂「ラッチ錠」が周知である。このラッチ錠は、例えば、扉の壁面に固定される台座と、この台座に回転可能に支持されるハンドルと、このハンドルの回転に伴って回転するラッチバーと、このラッチバーの非回転時に扉の木口からの退避が規制され、ラッチバーの回転時に扉の木口から退避可能となるラッチボルトと、を備えている。
【０００３】
このラッチボルトは、扉を施錠するためのデッドボルトと共に錠ケースに収納されるのが通常であるが、扉の用途によっては、ラッチボルトが単独で使用される場合も有る（特許文献１参照）。
【先行技術文献】
【特許文献】
【０００４】
【特許文献１】特開２０１０−５９６７７号公報
【発明の概要】
【発明が解決しようとする課題】
【０００５】
特許文献１に記載の従来技術においては、１個のラッチボルトのみによって扉の閉止状態を維持している。そのため、例えば火災時に扉が風に煽られた場合や扉の室内側と室外側に大きな圧力差が生じた場合に、扉の閉止状態を維持する力が不十分となり、不用意に扉が開放される虞があった。
【０００６】
そこで、本発明は上記の事情を考慮し、火災時に扉が風に煽られた場合や扉の室内側と室外側に大きな圧力差が生じた場合でも、扉の閉止状態を確実に維持することが可能なラッチ錠を提供することを目的とする。
【課題を解決するための手段】
【０００７】
本発明に係るラッチ錠は、扉の壁面に固定される上下一対の台座と、該上下一対の台座に回転可能に支持されるハンドルと、該ハンドルの回転に伴って回転するラッチバーと、該ラッチバーの非回転時に前記扉の木口からの退避が規制され、前記ラッチバーの回転時に前記扉の前記木口から退避可能となるラッチボルトと、を備え、前記ラッチバー及び前記ラッチボルトは、前記上下一対の台座に対応して上下一対に設けられていることを特徴とする。
【０００８】
このような構成を採用することにより、１個のラッチボルトのみによって扉の閉止状態を維持する場合と比較して、扉の閉止状態を維持する力を高めることが可能となる。そのため、火災時に扉が風に煽られた場合や扉の室内側と室外側に大きな圧力差が生じた場合でも、扉の閉止状態を確実に維持することが可能となる。
【０００９】
本発明に係るラッチ錠は、前記ハンドルは、前記上下一対の台座に水平方向回転可能に支持され、前記各ラッチバーは、前記ハンドルの上部と下部に固定され、該ハンドルと共に水平方向に回転しても良い。
【００１０】
このような構成を採用することにより、簡易な構成によって各ラッチバーを回転させることが可能となる。
【００１１】
本発明に係るラッチ錠は、前記ハンドルは、前記上下一対の台座に水平方向回転可能に支持され、前記各ラッチバーは、前記各台座に上下方向回転可能に支持される回転部材に固定され、前記ハンドルが水平方向に回転すると、該ハンドルが前記各回転部材を押圧し、該各回転部材と共に前記各ラッチバーが上下方向に回転しても良い。
【００１２】
このような構成を採用することにより、上下方向に回転する部材によって扉の木口からのラッチボルトの退避を規制する場合に、ラッチバーの回転方向とラッチボルトの退避を規制する部材の回転方向が同一になる。これに伴って、ラッチバーとラッチボルトの退避を規制する部材とを接続する機構を簡易化することが可能となる。
【発明の効果】
【００１３】
本発明のラッチ錠によれば、火災時に扉が風に煽られた場合や扉の室内側と室外側に大きな圧力差が生じた場合でも、扉の閉止状態を確実に維持することが可能となる。
【図面の簡単な説明】
【００１４】
【図１】本発明の第１の実施形態に係るラッチ錠を備えた扉を示す側断面図である。
【図２】本発明の第１の実施形態に係るラッチ錠を備えた扉を示す底断面図である。
【図３】図１のＡ−Ａ断面図である。
【図４】本発明の第１の実施形態に係るラッチ錠を備えた扉において、各室外側ラッチバーが回転した状態を示す断面図である。
【図５】本発明の第２の実施形態に係るラッチ錠を備えた扉を示す側断面図である。
【図６】図５のＢ−Ｂ断面図である。
【図７】本発明の第２の実施形態に係るラッチ錠を備えた扉において、各室外側ラッチバーが回転した状態を示す断面図である。
【発明を実施するための形態】
【００１５】
＜第１の実施形態＞
以下、図１〜図４に基づき、本発明の第１の実施形態に係るラッチ錠について説明する。図１は、本発明の第１の実施形態に係るラッチ錠を備えた扉を示す側断面図である。図２は、本発明の第１の実施形態に係るラッチ錠を備えた扉を示す底断面図である。図３は、図１のＡ−Ａ断面図である。図４は、本発明の第１の実施形態に係るラッチ錠を備えた扉において、各室外側ラッチバーが回転した状態を示す断面図である。
【００１６】
まず、ラッチ錠１のうち、扉２の室外側（図１における左側）に設けられた部材について説明する。なお、説明の便のため、図１における左側を扉２の室外側に設けられた部材の前側（正面側）とし、図１における右側を扉２の室外側に設けられた部材の後側（背面側）とする。
【００１７】
図１に示されるように、扉２の室外側には、扉２の外壁面３に固定される上下一対の室外側台座４と、この上下一対の室外側台座４に支持される室外側ハンドル５と、各室外側台座４から扉２内に突出する上下一対の室外側ラッチバー６と、が設けられている。
【００１８】
各室外側台座４の前面には、挿通穴７が水平方向に設けられている。各室外側台座４の後面の上部と下部には、取付柱８が突設されている。取付柱８は、扉２を貫通している。なお、取付柱８は、図１を除いて記載が省略されている。
【００１９】
各室外側台座４内には取付板１０が固定されている。取付板１０は、側板１１と、側板１１の上下両端から前方に向かって延びる上下両板１２、１３と、によって形成されており、前側が開口されたコ字状を成している。取付板１０には、側板１１と下板１３との境界部分に連通穴１４が穿設されている。取付板１０には、上板１２と下板１３の間に回転軸１５（図２参照）が上下方向に架設され、この回転軸１５の側方には、上板１２と下板１３の間に連結軸１６（図２参照）が上下方向に架設されている。
【００２０】
図１に示されるように、室外側ハンドル５は、外壁面３と平行に設けられて上下方向に延びる把手部１７と、この把手部１７の上部と下部から後方に向かって突出するアーム部１８と、を備えている。アーム部１８の後部は、挿通穴７を介して室外側台座４内に挿入されている。アーム部１８の後端部は、取付板１０の上板１２と下板１３の間まで延びており、回転軸１５に水平方向回転可能に支持されている。つまり、上下一対の室外側台座４に室外側ハンドル５が水平方向回転可能に支持されている。
【００２１】
アーム部１８の後面にはバネ収納部２０が凹設され、このバネ収納部２０には、ねじりコイルバネ２１が収納されている。このねじりコイルバネ２１は、室外側ハンドル５を非回転位置（図２参照）に付勢している。
【００２２】
各室外側ラッチバー６は、水平方向に延びている。各室外側ラッチバー６の前後方向略中央には段差部２２が設けられており、各室外側ラッチバー６の前部は各室外側ラッチバー６の後部よりも上方に位置している。各室外側ラッチバー６の前部は、取付板１０の内部に配置されて室外側ハンドル５の各アーム部１８の下面に固定されている。つまり、各室外側ラッチバー６は、室外側ハンドル５の上部と下部に固定されている。室外側ラッチバー６は、段差部２２よりも前側で取付板１０の連通穴１４を貫通しており、各室外側ラッチバー６の後部は、扉２内に挿入されている。
【００２３】
次に、ラッチ錠１のうち、扉２の室内側（図１における右側）に設けられた部材について説明する。なお、説明の便のため、図１における右側を扉２の室内側に設けられた部材の前側（正面側）とし、図１における左側を扉２の室内側に設けられた部材の後側（背面側）とする。
【００２４】
図１に示されるように、扉２の室内側には、扉２の内壁面２３に固定される上下一対の室内側台座２４と、この上下一対の室内側台座２４に支持される室内側ハンドル２５と、各室内側台座２４から扉２内に突出する上下一対の室内側ラッチバー２６と、が設けられている。
【００２５】
各室内側台座２４の前面には、挿通穴２７が水平方向に設けられている。各室内側台座２４の内部空間の後部には固定板２８が固定され、固定板２８には、室外側台座４に突設された取付柱８の後端部が固定されている。これにより、室外側台座４及び室内側台座２４が扉２を挟み込むようにして扉２に固定されている。
【００２６】
各室内側台座２４の内部空間には、固定板２８の前面側に取付板３０が固定されている。取付板３０は、側板３１と、側板３１の上下両端から前方に向かって延びる上下両板３２、３３と、によって形成されており、前側が開口されたコ字状を成している。取付板３０には、側板３１と上板３２との境界部分に連通穴３４が穿設されている。各取付板３０には、上板３２と下板３３の間に回転軸３５（図２参照）が上下方向に架設され、回転軸３５の側方には、上板３２と下板３３の間に連結軸３６（図２参照）が上下方向に架設されている。
【００２７】
図１に示されるように、室内側ハンドル２５は、内壁面２３と平行に設けられて上下方向に延びる把手部３７と、この把手部３７の上部と下部から後方に向かって突出するアーム部３８と、を備えている。アーム部３８の後部は、挿通穴２７を介して室内側台座２４内に挿入されている。アーム部３８の後端部は、取付板３０の上板３２と下板３３の間まで延びており、回転軸３５に水平方向回転可能に支持されている。つまり、上下一対の室内側台座２４に室内側ハンドル２５が水平方向回転可能に支持されている。アーム部３８の後面にはバネ収納部４０が凹設され、このバネ収納部４０にはねじりコイルバネ４１が収納されている。このねじりコイルバネ４１は、室内側ハンドル２５を非回転位置（図２参照）に付勢している。
【００２８】
図１に示されるように、各室内側ラッチバー２６は、各室外側ラッチバー６の上方に位置しており、水平方向に延びている。各室内側ラッチバー２６の前後方向略中央には段差部４２が設けられており、各室内側ラッチバー２６の前部は各室内側ラッチバー２６の後部よりも下方に位置している。各室内側ラッチバー２６の前部は、取付板３０の内部に配置されて室内側ハンドル２５の各アーム部３８の上面に固定されている。つまり、各室内側ラッチバー２６は、室内側ハンドル２５の上部と下部に固定されている。各室内側ラッチバー２６は、段差部４２よりも前側で取付板３０の連通穴３４を貫通しており、各室内側ラッチバー２６の後部は、扉２内に挿入されている。
【００２９】
次に、ラッチ錠１のうち、扉２の内部に収納された部材について説明する。なお、説明の便のため、図３における左側を扉２の内部に収納された部材の前側（正面側）とし、図３における右側を扉２の内部に収納された部材の後側（背面側）とする。なお、扉２の内部に収納された部材は、ラッチボルト４６を除き、図１及び図２において記載が省略されている。
【００３０】
図３に示されるように、扉２の内部には、扉２の木口４３に沿って設置される上下一対の錠ケース４４と、各錠ケース４４内に収納される上下一対のストッパー機構４５と、各錠ケース４４の前端から木口４３の前方に突出する上下一対のラッチボルト４６と、が設けられている。
【００３１】
錠ケース４４の前端は錠ケース取付板４７に固定され、錠ケース取付板４７は固定ネジ４８を介して扉２の木口４３に固定されている。各錠ケース４４の前部には、ラッチボルト装着部５０が形成され、ラッチボルト装着部５０の前面にはラッチボルト挿通穴５１が水平方向に設けられている。ラッチボルト装着部５０の下面には、挿入開口部５２が形成されている。
【００３２】
各ストッパー機構４５は、前後一対の上方駆動板５３ａ、５３ｂと、この上方駆動板５３ａ、５３ｂの下方に配置される前後一対の下方駆動板５４ａ、５４ｂと、上方駆動板５３ａ、５３ｂの前方に配置される押圧板５５と、下方駆動板５４ａ、５４ｂの前方に配置される退避規制板５６と、を主体として構成されている。
【００３３】
前側の上方駆動板５３ａ（以下、単に「上方駆動板５３ａ」と称する。）は、第１支点５７を中心に回転可能であり、上方駆動板５３ａの前端部には上方押圧部５８が設けられている。後側の上方駆動板５３ｂ（以下、単に「上方駆動板５３ｂ」と称する。）は、第１支点５７の後方に設けられた第２支点６０を中心に回転可能である。上方駆動板５３ｂは、第１支点５７と第２支点６０の間において上方駆動板５３ａと揺動可能に連結されている。
【００３４】
前側の下方駆動板５４ａ（以下、単に「下方駆動板５４ａ」と称する。）は、第１支点５７を中心に回転可能であり、下方駆動板５４ａの前端部には、下方押圧部６１が設けられている。後側の下方駆動板５４ｂ（以下、単に「下方駆動板５４ｂ」と称する。）は、第２支点６０を中心に回転可能である。下方駆動板５４ｂは、第１支点５７と第２支点６０の間において下方駆動板５４ａと揺動可能に連結されている。
【００３５】
押圧板５５は、その上端に設けられた第３支点６２を中心に回転可能である。押圧板５５の上下方向中央には、後方に突出する上方被押圧部６３が設けられ、この上方被押圧部６３は上方駆動板５３ａの上方押圧部５８に当接している。押圧板５５の下端には、押圧片６４が設けられている。
【００３６】
退避規制板５６は、その後下部に設けられた第４支点６５を中心に回転可能である。退避規制板５６の後上部には被押圧片６６が設けられ、この被押圧片６６は、押圧板５５の押圧片６４に当接している。退避規制板５６の後端部には下方被押圧部６７が設けられ、この下方被押圧部６７は下方駆動板５４ａの下方押圧部６１に当接している。押圧板５５の前端部には、挿入開口部５２を介してラッチボルト装着部５０内に挿入される係止片６８が設けられている。
【００３７】
ラッチボルト４６は、錠ケース４４のラッチボルト装着部５０に水平方向回転可能に装着されており、この水平方向の回転に伴って扉２の木口４３から突出した姿勢と扉２の木口４３から退避した姿勢を切り換えられるようになっている。ラッチボルト４６の前側部分は、ラッチボルト挿通穴５１を介して扉２の木口４３の前方に突出しており、扉枠７０に設けられたストライク７１に進入している。これにより、扉枠７０に対する扉２の閉止状態（仮締まり状態）が保持されている。
【００３８】
ラッチボルト４６の後面にはバネ受け部７２が設けられており、このバネ受け部７２とラッチボルト装着部５０との間に介装されるコイルバネ７３によって、ラッチボルト４６が突出方向（本実施形態では、前方）に付勢されている。ラッチボルト４６の外周には鍔部７４が設けられ、この鍔部７４がラッチボルト挿通穴５１の周囲においてラッチボルト装着部５０に当接している。鍔部７４は、退避規制板５６の係止片６８によって係止されており、これにより、ラッチボルト４６の退避（本実施形態では、後方への回転）が規制されている。
【００３９】
上記の如く構成されたものにおいて、まず、室外側ハンドル５を操作した場合の作用について説明する。
【００４０】
室外側ハンドル５が操作されていない状態では、ねじりコイルバネ２１の付勢力によって室外側ハンドル５が非回転位置に付勢されており、図２に実線で示されるように、室外側ラッチバー６が扉２の外壁面３と垂直な状態を保持している。また、図３に示されるように、ストッパー機構４５の退避規制板５６の係止片６８がラッチボルト４６の鍔部７４を係止している。そのため、ラッチボルト４６の退避が規制され、ラッチボルト４６が扉２の木口４３から突出した状態が保持されている。
【００４１】
この状態から、例えば室外側ハンドル５が牽引されると、室外側ハンドル５が回転軸１５を中心に回転し、図２に二点鎖線で示されるように、各室外側ラッチバー６が回転する。そして、図４に示されるように、各室外側ラッチバー６がストッパー機構４５の下方駆動板５４ｂを押圧して、下方駆動板５４ｂが第２支点６０を中心に回転する。これに伴って、下方駆動板５４ｂと揺動可能に連結された下方駆動板５４ａが第１支点５７を中心に回転し、下方駆動板５４ａの下方押圧部６１が退避規制板５６の下方被押圧部６７を押圧する。この押圧により、退避規制板５６が第４支点６５を中心に回転し、退避規制板５６の係止片６８によるラッチボルト４６の退避規制が解除され、ラッチボルト４６が扉２の木口４３から退避可能となる。
【００４２】
次に、室内側ハンドル２５を操作した場合の作用について説明する。
【００４３】
室内側ハンドル２５が操作されていない状態では、ねじりコイルバネ４１の付勢力によって室内側ハンドル２５が非回転位置に付勢されており、図２に実線で示されるように、室内側ラッチバー２６が扉２の内壁面２３と垂直な状態を保持している。また、図３に示されるように、ストッパー機構４５の退避規制板５６の係止片６８がラッチボルト４６の鍔部７４を係止している。そのため、ラッチボルト４６の退避が規制され、ラッチボルト４６が扉２の木口４３から突出した姿勢を保持している。
【００４４】
この状態から、例えば室内側ハンドル２５が押圧されると、室内側ハンドル２５が回転軸３５を中心に回転し、図２に二点鎖線で示されるように、各室内側ラッチバー２６が回転する。そして、図４に二点鎖線で示されるように、室内側ラッチバー２６がストッパー機構４５の上方駆動板５３ａを押圧する。これに伴って、上方駆動板５３ａが第１支点５７を中心に回転し、上方駆動板５３ａの上方押圧部５８が押圧板５５の上方被押圧部６３を押圧する。この押圧により、押圧板５５が第３支点６２を中心に回転し、押圧板５５の押圧片６４が退避規制板５６の被押圧片６６を押圧して、退避規制板５６が第４支点６５を中心に回転する。これにより、退避規制板５６の係止片６８によるラッチボルト４６の退避規制が解除され、ラッチボルト４６が扉２の木口４３から退避可能となる。
【００４５】
本実施形態では上記のように、室外側ラッチバー６及びラッチボルト４６が、上下一対の室外側台座４に対応して上下一対に設けられている。同様に、室内側ラッチバー２６及びラッチボルト４６が、上下一対の室内側台座２４に対応して上下一対に設けられている。そのため、１個のラッチボルト４６のみによって扉２の閉止状態を維持する場合と比較して、扉２の閉止状態を維持する力を高めることが可能となる。そのため、火災時に扉２が風に煽られた場合や扉２の室内側と室外側に大きな圧力差が生じた場合でも、扉２の閉止状態を確実に維持することが可能となる。
【００４６】
また、各ラッチバー６、２６は、各ハンドル５、２５の上部と下部に固定されて各ハンドル５、２５と共に水平方向に回転するように構成されている。そのため、簡易な構成によって各ラッチバー６、２６を回転させることが可能となる。
【００４７】
本実施形態では、錠ケース４４のラッチボルト装着部５０にラッチボルト４６が水平方向回転可能に装着される場合について説明したが、他の異なる実施形態では、錠ケース４４のラッチボルト装着部５０にラッチボルト４６が前後方向スライド可能に装着されても良い。この場合には、ラッチボルト４６の前進に伴って扉２の木口４３からラッチボルト４６が突出し、ラッチボルト４６の後退に伴って扉２の木口４３からラッチボルト４６が退避することになる。
【００４８】
本実施形態では、各ラッチバー６、２６が水平方向のどちらに回転した場合でも作動するストッパー機構４５を用いているが（図３、図４参照）、他の異なる実施形態では、各ラッチバー６、２６が水平方向のどちらか一方に回転した場合にのみ作動するストッパー機構４５を用いても良い。
【００４９】
＜第２の実施形態＞
以下、図５〜図７に基づき、本発明の第２の実施形態に係るラッチ錠について説明する。図５は、本発明の第２の実施形態に係るラッチ錠を備えた扉を示す側断面図である。図６は、図５のＢ−Ｂ断面図である。図７は、本発明の第２の実施形態に係るラッチ錠を備えた扉において、各室外側ラッチバーが回転した状態を示す断面図である。
【００５０】
まず、ラッチ錠８１のうち、扉８２の室外側（図５における左側）に設けられた部材について説明する。なお、説明の便のため、図５における左側を扉８２の室外側に設けられた部材の前側（正面側）とし、図５における右側を扉８２の室外側に設けられた部材の後側（背面側）とする。
【００５１】
図５に示されるように、扉８２の室外側には、扉８２の外壁面８３に固定される上下一対の室外側台座８４と、この上下一対の室外側台座８４に支持される室外側ハンドル８５と、各室外側台座８４から扉８２内に突出する上下一対の室外側ラッチバー８６と、が設けられている。
【００５２】
上側の室外側台座８４の上下方向中央には、貫挿穴８７が水平方向に設けられている。上側の室外側台座８４内には取付板８８が固定されている。取付板８８は、側板９０と、側板９０の上下両端から前方に向かって延びる上下両板９１、９２と、上板９１の前端から上方に向かって延びる上端板９３と、下板９２の前端から下方に向かって延びる下端板９４と、によって形成されている。
【００５３】
上側の室外側台座８４に固定された取付板８８の側板９０及び上下両板９１、９２は、上側の室外側台座８４の貫挿穴８７に挿入されている。側板９０には、連通穴９５が水平方向に穿設されている。取付板８８の前部一側には、上板９１と下板９２の間に回転軸（図示せず）が上下方向に架設され、回転軸の側方には、上板９１と下板９２の間に連結軸９６が上下方向に架設されている。上板９１の後部には貫通穴９７が形成されている。取付板８８の上下両端板９３、９４は、上側の室外側台座８４の前面に固定されている。
【００５４】
下側の室外側台座８４は、上側の室外側台座８４と上下対称である。そのため、図５において上側の室外側台座８４の各部と対応する番号を下側の室外側台座８４の各部に付し、説明を省略する。
【００５５】
室外側ハンドル８５は、扉８２の外壁面８３と平行に設けられて上下方向に延びる把手部９８と、この把手部９８の上部と下部から後方に向かって突出するアーム部１００と、を備えている。各アーム部１００の後部は、各室外側台座８４の貫挿穴８７内に挿入されており、前記の回転軸（図示せず）に水平方向回転可能に支持されている。つまり、上下一対の室外側台座８４に室外側ハンドル８５が水平方向回転可能に支持されている。
【００５６】
上側のアーム部１００の後上部と下側のアーム部１００の後下部には、それぞれ押圧板１０１が固定されている。各押圧板１０１は、水平方向に延びている。アーム部１００の後面にはバネ収納部１０２が凹設され、このバネ収納部１０２にはねじりコイルバネ１０３が収納されている。ねじりコイルバネ１０３は、室外側ハンドル８５を非回転位置に付勢している。
【００５７】
上側の室外側ラッチバー８６は、水平方向に延びており、上側の室外側台座８４の取付板８８の連通穴９５を貫通して扉８２内に挿入されている。上側の室外側ラッチバー８６は、上側の室外側台座８４の取付板８８に収納される回転部材１０４の下部に固定されている。回転部材１０４の下端には支点部１０６が設けられ、この支点部１０６を中心に回転部材１０４が上下方向に回転するようになっている。回転部材１０４の上端には、突部１０７が上方に向かって突設されている。突部１０７は、上側の押圧板１０１に当接している。
【００５８】
下側の室外側ラッチバー８６及び回転部材１０４は、上側の室外側ラッチバー８６及び回転部材１０４と上下対称である。そのため、図５において上側の室外側ラッチバー８６及び回転部材１０４の各部と対応する番号を下側の室外側ラッチバー８６及び回転部材１０４の各部に付し、説明を省略する。
【００５９】
図５に示されるように、扉８２の室内側（図５における右側）には、扉８２の内壁面９９に固定される上下一対の室内側台座１０８と、この上下一対の室内側台座１０８に支持される室内側ハンドル１１０と、各室内側台座１０８から扉８２内に突出する上下一対の室内側ラッチバー１１１と、が設けられている。ラッチ錠８１のうち、扉８２の室内側に設けられる部材の構成については、扉８２の室外側に設けられる部材の構成と同様である。そのため、図５において室外側の部材の各部と対応する番号を室内側の部材に付し、説明を省略する。
【００６０】
次に、ラッチ錠８１のうち、扉８２の内部に収納される部材について説明する。なお、説明の便のため、図６における左側を扉８２の内部に収納される部材の前側（正面側）とし、図６における右側を扉８２の内部に収納される部材の後側（背面側）とする。
【００６１】
図６に示されるように、扉８２の内部には、扉８２の木口１１２に沿って設けられる上下一対の錠ケース１１３と、各錠ケース１１３内に収納される上下一対のストッパー機構１１４と、各錠ケース１１３の前端から扉８２の木口１１２の前方に突出する上下一対のラッチボルト１１５と、が設けられている。
【００６２】
上側の錠ケース１１３の前端は錠ケース取付板１１６に固定され、錠ケース取付板１１６は固定ネジ１１７を介して扉８２の木口１１２に固定されている。上側の錠ケース１１３の前部にはラッチボルト装着部１１８が形成され、ラッチボルト装着部１１８の前面にはラッチボルト挿通穴１２０が設けられている。ラッチボルト装着部１１８の下面には、挿入開口部１２１が形成されている。
【００６３】
下側の錠ケース１１３は、上側の錠ケース１１３と上下対称である。そのため、図６、図７において上側の錠ケース１１３の各部と対応する番号を下側の錠ケース１１３の各部に付し、説明を省略する。
【００６４】
上側のストッパー機構１１４は、上側の錠ケース１１３の後部に配置される昇降板１２２と、昇降板１２２の前上方に配置される作動板１２３と、昇降板１２２の前下方に配置される退避規制板１２４と、を主体として構成されている。
【００６５】
上側のストッパー機構１１４の昇降板１２２は、上側の錠ケース１１３に昇降可能に支持されている。昇降板１２２は、上下方向に延びる連結部１２５と、連結部１２５の下端から後方に向かって延びる被押圧部１２６と、連結部１２５の上端から後方に向かって延びる押圧部１２７と、を備えており、側面視略コ字状を成している。被押圧部１２６は、室外側ラッチバー８６及び室内側ラッチバー１１１の下方に位置している。
【００６６】
上側のストッパー機構１１４の作動板１２３は、前後方向に延びる第１腕部１２８と、第１腕部１２８の前端から下方に向かって延びる第２腕部１３０と、を備えており、側面視略Ｌ字状を成している。第１腕部１２８の後端は、昇降板１２２の押圧部１２７の下側に位置している。第１腕部１２８の前端には第１支点部１３１が設けられ、この第１支点部１３１を中心に作動板１２３が回転するようになっている。
【００６７】
上側のストッパー機構１１４の退避規制板１２４は、その後下部に設けられた第２支点部１３２を中心に上下方向に回転可能となっている。退避規制板１２４の後上端部は、作動板１２３の第２腕部１３０の下端と揺動可能に連結されている。退避規制板１２４の前端部には、挿入開口部１２１を介してラッチボルト装着部１１８内に挿入される係止片１３４が設けられている。
【００６８】
下側のストッパー機構１１４は、上側のストッパー機構１１４と上下対称である。そのため、図６、図７において上側のストッパー機構１１４の各部と対応する番号を下側のストッパー機構１１４の各部に付し、説明を省略する。
【００６９】
各ラッチボルト１１５は、各錠ケース１１３のラッチボルト装着部１１８に水平方向回転可能に装着されており、この水平方向の回転に伴って扉８２の木口１１２から突出した姿勢と扉８２の木口１１２から退避した姿勢を切り換えられるようになっている。ラッチボルト１１５の前側部分は、ラッチボルト装着部１１８のラッチボルト挿通穴１２０を介して扉８２の木口１１２の前方に突出しており、扉枠１３８に設けられたストライク１３９に進入している。これにより、扉枠１３８に対する扉８２の閉止状態（仮締まり状態）が保持されている。
【００７０】
ラッチボルト１１５の後面にはバネ受け部１３５が設けられており、このバネ受け部１３５とラッチボルト装着部１１８との間に介装されるコイルバネ１３６によって、ラッチボルト１１５が突出方向（本実施形態では、前方）に付勢されている。ラッチボルト１１５の後端には鍔部１３７が設けられ、この鍔部１３７がラッチボルト挿通穴１２０の周囲においてラッチボルト装着部１１８に当接している。鍔部１３７は、退避規制板１２４の係止片１３４に係止されており、これにより、ラッチボルト１１５の退避（本実施形態では、後方への回転）が規制されている。
【００７１】
上記の如く構成されたものにおいて、室外側ハンドル８５が操作されていない状態では、ねじりコイルバネ１０３の付勢力によって室外側ハンドル８５が非回転位置に付勢されており、図５に実線で示されるように、室外側ラッチバー８６が扉８２の外壁面８３と垂直な姿勢を保持している。また、図６に示されるように、各ストッパー機構１１４の退避規制板１２４の係止片１３４がラッチボルト１１５の鍔部１３７を係止している。そのため、ラッチボルト１１５の退避が規制され、ラッチボルト１１５が扉８２の木口１１２から突出した姿勢を保持している。
【００７２】
この状態から、例えば室外側ハンドル８５が押圧されると、室外側ハンドル８５が回転軸（図示せず）を中心に回転する。これに伴って、室外側ハンドル８５の上側の押圧板１０１が上側の回転部材１０４の突部１０７を押圧し、図５に二点鎖線で示されるように、上側の回転部材１０４と共に上側の室外側ラッチバー８６が下方に回転する。また、室外側ハンドル８５の下側の押圧板１０１が下側の回転部材１０４の突部１０７を押圧し、下側の回転部材１０４と共に下側のラッチバー８６が上方に回転する。
【００７３】
上記のように上側の室外側ラッチバー８６が下方に回転すると、図７に示されるように、上側の室外側ラッチバー８６が上側のストッパー機構１１４の昇降板１２２の被押圧部１２６を下方に押圧し、昇降板１２２が下降する。この昇降板１２２の下降に伴って、昇降板１２２の押圧部１２７が作動板１２３の第１腕部１２８を下方に押圧し、作動板１２３が第１支点部１３１を中心に回転する。この作動板１２３の回転により、作動板１２３に揺動可能に連結された退避規制板１２４が第２支点部１３２を中心に回転する。これにより、退避規制板１２４の当接片１３４による上側のラッチボルト１１５の退避規制が解除され、上側のラッチボルト１１５が扉８２の木口１１２から退避可能となる。
【００７４】
また、上記のように下側の室外側ラッチバー８６が上方に回転すると、同様の作用により下側のストッパー機構１１４に設けられた退避規制板１２４の当接片１３４による下側のラッチボルト１１５の退避規制が解除され、下側のラッチボルト１１５が扉８２の木口１１２から退避可能となる。
【００７５】
なお、上記の説明では、室外側ハンドル８５を操作する場合について説明したが、室内側ハンドル１１０を操作した場合も、同様の作用により各ラッチボルト１１５が扉８２の木口１１２から退避可能となる。
【００７６】
本実施形態では、各ラッチバー８６を上下方向に回転させると共に回転規制板１２４を上下方向に回転させている。つまり、各ラッチバー８６の回転方向と回転規制板１２４の回転方向が同一になっている。そのため、各ラッチバー８６の回転を回転規制板１２４に伝達するのにあたって、回転方向を水平方向から上下方向に変換する必要が無く、これに伴って、ストッパー機構１１４の構成を簡易化することが可能となる。
【００７７】
本実施形態では、錠ケース１１３のラッチボルト装着部１１８にラッチボルト１１５が水平方向回転可能に装着される場合について説明したが、他の異なる実施形態では、錠ケース１１３のラッチボルト装着部１１８にラッチボルト１１５が前後方向スライド可能に装着されても良い。この場合には、ラッチボルト１１５の前進に伴って扉８２の木口１１２からラッチボルト１１５が突出し、ラッチボルト１１５の後退に伴って扉８２の木口１１２からラッチボルト１１５が退避することになる。
【００７８】
本実施形態では、各ラッチバー８６、１１１が上方又は下方のいずれか一方に回転した場合にのみ作動するストッパー機構１１４を用いているが（図６、図７参照）、他の異なる実施形態では、各ラッチバー８６、１１１が上方又は下方のどちらに回転しても作動するストッパー機構１１４を用いても良い。
【符号の説明】
【００７９】
１  ラッチ錠
２  扉
３  外壁面
４  室外側台座
５  室内側ハンドル
６  室内側ラッチバー
２３  内壁面
２４  室内側台座
２５  室外側ハンドル
２６  室外側ラッチバー
４６  ラッチボルト
８１  ラッチ錠
８２  扉
８３  外壁面
８４  室外側台座
８５  室外側ハンドル
８６  室外側ラッチバー
９９  内壁面
１０４  回転部材
１０８  室内側台座
１１０  室内側ハンドル
１１１  室内側ラッチバー
１１５  ラッチボルト
【図１】
2013204320.tif 000003
【図２】
2013204320.tif 000004
【図３】
2013204320.tif 000005
【図４】
2013204320.tif 000006
【図５】
2013204320.tif 000007
【図６】
2013204320.tif 000008
【図７】
2013204320.tif 000009